(57)【特許請求の範囲】
【請求項１】
ハンドル筒と、該ハンドル筒内に配設され、ねじキャップを径方向の外側から締め付ける締め付け帯体と、を備え、
前記ハンドル筒は、ハンドル周壁部と、前記ハンドル周壁部における径方向の内側に配置されるとともに、径方向に貫通する切欠きが形成された内側周壁部と、を備え、
前記締め付け帯体は、前記切欠きに係合された係止突片と、前記内側周壁部における径方向の内側に配置されるとともに、一端が前記係止突片に連結された帯本体と、を備え、
前記帯本体は、一端が前記係止突片を介して前記ハンドル筒に固定され、他端が前記一端よりも前記径方向の内側に位置するように、前記ねじキャップの軸線回りに湾曲していて、前記ハンドル筒を前記軸線回りに回転させたときに、該帯本体が、前記ねじキャップを巻き込んで締め付ける構成とされていることを特徴とするキャップ操作具。
【請求項２】
前記締め付け帯体の一端側部分と他端側部分とが、前記径方向で対向又は重なっていることを特徴とする請求項１に記載のキャップ操作具。
【請求項３】
前記締め付け帯体の軸方向の大きさは、前記ねじキャップの軸方向の大きさより小さいことを特徴とする請求項１または２に記載のキャップ操作具。
【発明の詳細な説明】
【技術分野】
【０００１】
本発明は、キャップ操作具に関する。
【背景技術】
【０００２】
従来、例えば下記特許文献１に記載されるような、把持部、噛合い部、及び両者をつなぐ支持部からなるキャップ開閉具が知られている。このキャップ開閉具は、噛合い部が支持部から環状に延出する帯体で構成され、把持部を回転させることで、噛合い部でねじキャップを巻き込んで締め付けて、ねじキャップを開閉させることができる。
【０００３】
また、下記特許文献２に記載されるような、リング状のキャップ開放具も知られている。このキャップ開放具では、その内側にねじキャップを挿入する穴部が形成され、この内周面にねじキャップを嵌合させ、外周面を把持して回転させることで、ねじキャップを開放させることができる。
【先行技術文献】
【特許文献】
【０００４】
【特許文献１】特許第３６１９２２７号公報
【特許文献２】特許第４５８３４９７号公報
【発明の概要】
【発明が解決しようとする課題】
【０００５】
しかしながら、上記特許文献１のキャップ開閉具では、ねじキャップへの装着が容易となる反面、把持部が外側に大きく延出する構成のため、コンパクト化に改善の余地がある。
また、特許文献２にかかるキャップ開放具では、全体がリング状に構成されることでコンパクトではあるものの、ねじキャップへの装着が煩雑となるおそれ、例えば内周面にねじキャップをスムーズに入れづらい等のおそれがある。
【０００６】
本発明はかかる事情に鑑みてなされたものであり、ねじキャップへの装着が容易となり、かつコンパクト化が図れるキャップ操作具を提供することを目的とする。
【課題を解決するための手段】
【０００７】
上記課題の解決手段として、本発明は、ハンドル筒と、該ハンドル筒内に配設され、ねじキャップを径方向の外側から締め付ける締め付け帯体と、を備え、前記ハンドル筒は、ハンドル周壁部と、前記ハンドル周壁部における径方向の内側に配置されるとともに、径方向に貫通する切欠きが形成された内側周壁部と、を備え、前記締め付け帯体は、前記切欠きに係合された係止突片と、前記内側周壁部における径方向の内側に配置されるとともに、一端が前記係止突片に連結された帯本体と、を備え、前記帯本体は、一端が前記係止突片を介して前記ハンドル筒に固定され、他端が前記一端よりも前記径方向の内側に位置するように、前記ねじキャップの軸線回りに湾曲していて、前記ハンドル筒を前記軸線回りに回転させたときに、該帯本体が、前記ねじキャップを巻き込んで締め付ける構成とされていることを特徴とするキャップ操作具を提供する。
【０００８】
この発明では、締め付け帯体がハンドル筒内に配設されることで、全体のコンパクト化が図れる。また、締め付け帯体がハンドル筒の回転にともなって、ねじキャップを巻き込んで締め付ける構成のため、初期状態では締め付け帯体の内径がねじキャップの外径より大きくなっており、ねじキャップへの装着を容易に行うことができる。
【０００９】
また、上記キャップ操作具では、前記締め付け帯体の一端側部分と他端側部分とが、前記径方向で対向又は重なっているのが好ましい。
この場合、ねじキャップの巻き込みの際に、締め付け帯体がねじキャップの全周を締め付け、一端側部分が他端側部分に接して、他端側部分をねじキャップの径方向の内側に押し込むように作動することで、ねじキャップが締め付け帯体に強固に締め付けられるため、操作性を向上させることができる。
また、上記キャップ操作具では、前記締め付け帯体の軸方向の大きさは、前記ねじキャップの軸方向の大きさより小さくするのが好ましい。
この場合、ねじキャップの天板と、ハンドル筒の頂壁裏面とを当接させ易くすることができ、安定した操作が可能となる。
【発明の効果】
【００１０】
本発明によれば、キャップ操作具をねじキャップに容易に装着でき、かつコンパクト化が図れる。また、ねじキャップのサイズにばらつきがあった場合でも柔軟に対応できる。
【図面の簡単な説明】
【００１１】
【図１】本発明の第１の実施形態に係るキャップ操作具の縦断面図である。
【図２】第１の実施形態に係るキャップ操作具の下面図である。
【図３】第１の実施形態に係るキャップ操作具を構成するハンドル筒の下面図である。
【図４】第１の実施形態に係るキャップ操作具を構成する締め付け帯体の下面図である。
【図５】本発明の第２の実施形態に係るキャップ操作具の縦断面図である。
【図６】第２の実施形態に係るキャップ操作具の下面図である。
【図７】本発明の第３の実施形態に係るキャップ操作具の斜視図である。
【図８】第３の実施形態に係るキャップ操作具の締め付け帯体の斜視図である。
【発明を実施するための形態】
【００１２】
以下、図面を参照し、本発明の実施形態について説明する。
【００１３】
＜第１の実施形態＞
図１、図２は、本発明の第１の実施形態に係るキャップ操作具１の縦断面図及び下面図を示し、このキャップ操作具１は、扁平な有頂筒状のハンドル筒２と、このハンドル筒２内に配設された締め付け帯体３と、を備えている。
【００１４】
以下では、ハンドル筒２の横断面で中央を通る軸線を中央軸Ｏといい、中央軸Ｏに沿ってハンドル筒２の頂部４が位置する側を上側といい、その反対側を下側という。また、中央軸Ｏに直交する方向を径方向といい、中央軸Ｏ回りに周回する方向を周方向という。
【００１５】
図３、図４には、ハンドル筒２及び締め付け帯体３の各下面図が示されている。
ハンドル筒２は、例えばＰＰ（ポリプロピレン）等で形成され、上記頂部４と、この頂部４の外周縁部から下方に延びるハンドル周壁部５と、を備えている。頂部４の下面においてハンドル周壁部５の径方向の内側に位置する部位には、略環状の内側周壁部６が下方に延びるように形成されている。
【００１６】
ハンドル周壁部５は、内側周壁部６よりも上下方向で高く形成され、内側周壁部６は側面視で、ハンドル周壁部５によって覆われた状態になっている。また、内側周壁部６は、一部に径方向で貫通する切欠き７が形成されている。なお、ハンドル筒２は、頂部４、ハンドル周壁部５及び内側周壁部６が一体となるように、例えばインジェクション成形等で形成されている。
【００１７】
締め付け帯体３は、例えばＰＯＭ（ポリアセタール）等で形成され、環状の保持周壁８と、保持周壁８の内周面から径方向の内側に突出する薄板状の係止突片９と、係止突片９の先端に一端が接続され、他端が当該一端よりも径方向の内側に位置するように周方向に湾曲した帯本体１０と、を備えている。なお、詳しくは、帯本体１０は渦巻軌道に沿って湾曲している。これら保持周壁８、係止突片９及び帯本体１０は、側面視で、ハンドル周壁部５に覆われている。また、締め付け帯体３は、保持周壁８、係止突片９及び帯本体１０が一体となるように、例えばインジェクション成形等で形成されている。
【００１８】
図２に示されるように、保持周壁８は、ハンドル筒２のハンドル周壁部５と内側周壁部６との間に配置され、保持周壁８の外周面は、ハンドル周壁部５の内周面と当接又は近接した状態とされている。また、係止突片９は、内側周壁部６を周方向に分断する切欠き７に係合され、また、内側周壁部６の径方向の内側に、帯本体１０が配置された状態となっている。
【００１９】
ここで、切欠き７は係止突片９を周方向の両方向から係止しており、これにより、締め付け帯体３の周方向の移動が規制されている。また、内側周壁部６において切欠き７を挟んで両側に位置する周端部６Ａ，６Ｂの外周面は、保持周壁８の内周面に近接又は当接しており、これにより、締め付け帯体３の径方向の移動が規制されている。
【００２０】
なお、内側周壁部６の周端部６Ａ，６Ｂのうち、係止突片９から帯本体１０が延出する側に位置する一方の周端部６Ａは、他方の周端部６Ｂより周方向に長く保持周壁８の内周面に近接又は当接している。また、図示の例では、周端部６Ａは、キャップ操作具１の平面視で、中央軸Ｏを中心とする約４５度の角度範囲で、保持周壁８の内周面に近接又は当接している。
一方で、内側周壁部６のうち、周端部６Ａと周端部６Ｂとの間に位置する中間部６Ｃは、保持周壁８の内周面から径方向に離間している。そして、周端部６Ａと周端部６Ｂのうちの、周端部６Ｂは、中間部６Ｃから径方向の外側に突出して、保持周壁８の内周面に近接又は当接している。
このように、内側周壁部６において保持周壁８と離間する中間部６Ｃを形成する場合、例えば、成形誤差によらず、ハンドル筒２に対して締め付け帯体３をスムーズに組付けることが可能となる。
【００２１】
そして、帯本体１０は、一重の環状に形成され、拡径及び縮径可能に弾性をもって形成され、少なくともねじキャップＣをその内側に挿入可能な大きさに形成されている。そして、本実施形態では、この帯本体１０の係止突片９に接続される一端側部分１０Ａと、先端側である他端側部分１０Ｂと、が、径方向で対向又は重なって隣接し、一重の環状が形成されている。
ここで、一端側部分１０Ａと他端側部分１０Ｂとが径方向で重なる範囲としては、例えば中央軸Ｏを中心とする約９０度以下の角度範囲としてもよい。
【００２２】
また、帯本体１０の径方向の内周面には間隔を空けて複数の歯部１１が形成されている。これら歯部１１は、ねじキャップＣの外周面に噛み合わせるために設けられている。なお、本実施形態では、帯本体１０において他端側部分１０Ｂと重なる一端側部分１０Ａには、歯部１１が形成されていない。
また、図４に示されるように、帯本体１０における他端と、帯本体１０において、当該他端の径方向の外側に位置する部位との間は、破断可能な間欠片１２を介して連結されている。
【００２３】
以下、キャップ操作具１の使用方法について詳述すると、図１に示されるように、先ず、ボトルＢの口部に装着されたねじキャップＣを帯本体１０の内側に挿入する。ここで、ねじキャップＣを締め付け帯体３の内側に挿入する際は、ボトルＢの横断面で中央を通るボトル軸線に同軸に配置されたねじキャップＣの軸線と、キャップ操作具１の中央軸Ｏとが、同軸の状態となるようにする。また、図１から明らかなように、少なくとも帯本体１０の軸方向の大きさは、ねじキャップＣの軸方向の大きさより小さくなっている。
【００２４】
そして、ハンドル筒２のハンドル周壁部５を把持して、周方向のうち、帯本体１０が係止突片９から延びる方向（以下、延出方向という）と反対の図２に示される操作方向Ｒに、ハンドル筒２を回転させる。
すると、帯本体１０のうち、ねじキャップＣの外周面に歯部１１を介して噛み合っている部位に対して、ねじキャップＣの外周面に噛み合っていない部位がねじキャップＣの外周面に操作方向Ｒに沿って巻き込まれ、帯本体１０が強固にねじキャップＣを締め付ける。
そして、ねじキャップＣを帯本体１０が強固に締め付けた状態で、ハンドル筒２の回転を進めることで、ねじキャップＣがボトルＢに対して回転する。これにより、ねじキャップＣをボトルＢから取り外すことが可能となる。
なお、帯本体１０を上下逆向き（帯の延在方向が逆回転方向）に配置した場合は、ねじキャップＣをボトルＢに取り付ける操作具として使用することもできる。
【００２５】
ここで、本実施形態では、上述したように帯本体１０の一端側部分１０Ａと他端側部分１０Ｂとが、径方向で対向又は重なっているので、ねじキャップＣの巻き込みの際に、帯本体１０がねじキャップＣの全周を締め付け、回転を進めてまもなく、一端側部分１０Ａが他端側部分１０Ｂに接して、他端側部分１０Ｂを径方向の内側に押し込むように作動することで、ねじキャップＣが帯本体１０に強固に締め付けられる。これにより、操作性を向上させることができる。
【００２６】
なお、この帯本体１０によるねじキャップＣの締め付けの際は、帯本体１０が巻き込まれるように動くため、上述した間欠片１２は破断されるが、このような間欠片１２を設けた場合は、締め付け帯本体１０の成形直後の状態における収縮変形を抑え、帯本体１０の形状を所期するものに維持させることが可能となる。
【００２７】
以上に記載したように、この第１の実施形態のキャップ操作具１は、ハンドル筒２と、ハンドル筒２内に配設され、ねじキャップＣをこの径方向の外側から締め付ける締め付け帯体３と、を備え、締め付け帯体３は、一端がハンドル筒２に固定され、他端が前記一端よりもねじキャップＣの径方向の内側に位置するように、ねじキャップＣの軸線回りに湾曲していて、ハンドル筒２をねじキャップＣの軸線回りに回転させたときに、ねじキャップＣを巻き込んで締め付ける構成とされている。
【００２８】
このような構成では、締め付け帯体３がハンドル筒２内に配設されることで、全体のコンパクト化が図れる。また、締め付け帯体３がハンドル筒２の回転にともなって、ねじキャップＣを巻き込んで締め付ける構成のため、ねじキャップＣへの装着が容易となる。
【００２９】
＜第２の実施形態＞
次に本発明の第２の実施形態について図５及び図６を参照し説明する。本実施形態において第１の実施形態と同様の構成要素については同一符号で示し、説明は省略する。
【００３０】
本実施形態では、ハンドル筒２のハンドル周壁部５の外周面に径方向の内側にへこむ凹部１５が形成されている。凹部１５は、径方向の内側に突の弧状に形成され、周方向全周わたり等間隔を空けて複数形成されている。
【００３１】
また、本実施形態では、締め付け帯体３において、第１の実施形態における保持周壁８に相当する部位がなく、係止突片９の径方向の外側の端部に、周方向に延びて、ハンドル周壁部５の内周面及び内側周壁部６の外周面に当接又は近接する位置決め片１６が形成されている。またさらに、本実施形態では、歯部１１が帯本体１０の内周面において連続して複数形成されている。
【００３２】
この第２の実施形態では、凹部１５によってハンドル筒２のグリップ性が良好となる。
【００３３】
＜第３の実施形態＞
次に本発明の第３の実施形態について図７及び図８を参照し説明する。本実施形態において第１の実施形態及び第２の実施形態と同様の構成要素については同一符号で示し、説明は省略する。
【００３４】
本実施形態では、ハンドル筒２の頂部４に開口１７が形成され、この開口１７から締め付け帯体３の上端縁に突設されたスライド片１８が突出している。開口１７は径方向に沿って延びる矩形状に形成されており、図８に示すように、スライド片１８は、先端が上方に向けて突の弧状の板体であり、帯本体１０の他端側部分１０Ｂから上方に突出して形成されている。また、スライド片１８の両側面には、ガイド片１９が突出して形成されている。
そして、スライド片１８は、ガイド片１９が頂部４の上面における開口１７の周縁部に上方から当接するように、開口１７に挿入されている。
【００３５】
この第３の実施形態では、帯本体１０によるねじキャップＣの締め付けの際に、まずスライド片１８を径方向に押し込み、強制的に歯部１１をねじキャップの外周面に係合させることができるため、ねじキャップＣの開閉操作をより迅速に行うことができる。
【００３６】
以上、本発明の実施形態について説明したが、本発明は前述の実施の形態に限定されるものではなく、本発明の趣旨を逸脱しない範囲において種々の変更を加えることが可能である。例えば、実施形態で例示した材質等は特に限定されるものではない。
【符号の説明】
【００３７】
１  キャップ操作具
２  ハンドル筒
３  締め付け帯体
１０  帯本体（締め付け帯体）
１０Ａ  一端側部分
１０Ｂ  他端側部分
Ｃ  ねじキャップ
【図１】
0005887213.tif 000002
【図２】
0005887213.tif 000003
【図３】
0005887213.tif 000004
【図４】
0005887213.tif 000005
【図５】
0005887213.tif 000006
【図６】
0005887213.tif 000007
【図７】
0005887213.tif 000008
【図８】
0005887213.tif 000009